(57)【要約】【課題】  原稿面に原稿の識別情報を配置することが困難な原稿であっても、その原稿に対する識別情報を適切に認識することのできるタブレット、情報読み取り方法の提供を目的とする。【解決手段】  載置された原稿の表面に対して記入される情報を座標データとして電子化するタブレットであって、前記載置された原稿の裏面の所定の位置に付された符号を読み取る第一の読み取り手段と、前記第一の読み取り手段によって読み取られた前記符号と当該原稿の前記座標データとを関連付ける関連付け手段とを有することにより上記課題を解決する。【選択図】  図１６
2006107124.tif 000002
【特許請求の範囲】
【請求項１】
載置された原稿の表面に対して記入される情報を座標データとして電子化するタブレットであって、
前記載置された原稿の裏面の所定の位置に付された符号を読み取る第一の読み取り手段と、
前記第一の読み取り手段によって読み取られた前記符号と当該原稿の前記座標データとを関連付ける関連付け手段とを有することを特徴とするタブレット。
【請求項２】
前記原稿が載置される載置面は、光を通す領域である通光領域を有し、
前記第一の読み取り手段は、
前記通光領域と、
前記通光領域を通して前記原稿に照射される照射光を発する第一の発光手段と、
前記第一の発光手段によって該照射光が照射されることにより前記原稿より反射される反射光を受光する第一の受光手段とを含むことを特徴とする請求項１記載のタブレット。
【請求項３】
前記タブレットは、前記原稿の前記表面の所定の位置に付された符号を読み取る第二の読み取り手段を更に有し、
前記関連付け手段は、更に、前記第二の読み取り手段によって読み取られた前記符号と当該原稿の前記座標データとを関連付けることを特徴とする請求項１又は２記載のタブレット。
【請求項４】
前記第二の読み取り手段は、
前記原稿の前記表面に照射される照射光を発する第二の発光手段と、
前記第二の発光手段によって該照射光が照射されることにより前記原稿より反射される反射光を受光する第二の受光手段とを含むことを特徴とする請求項３記載のタブレット。
【請求項５】
前記第一の読み取り手段と前記第二の読み取り手段とにより同一の原稿の前記裏面及び前記表面に付された前記符号を読み取らせることを特徴とする請求項３又は４記載のタブレット。
【請求項６】
前記第一の受光手段と前記第二の受光手段とは同一の受光手段であり、
前記第一の発光手段による発光のタイミングと前記第二の発光手段による発光のタイミングとを切り替える制御手段を更に有することを特徴とする請求項３乃至５いずれか一項記載のタブレット。
【請求項７】
前記符号は、当該原稿のページ番号を識別するための符号であることを特徴とする請求項１乃至６いずれか一項記載のタブレット。
【請求項８】
前記符号はバーコードであることを特徴とする請求項１乃至７いずれか一項記載のタブレット。
【請求項９】
載置された原稿の表面に対して記入される情報を座標データとして電子化するタブレットにおける情報読み取り方法であって、
前記載置された原稿の裏面の所定の位置に付された符号を読み取る第一の読み取り手順と、
前記第一の読み取り手順において読み取られた前記符号と当該原稿の前記座標データとを関連付ける第一の関連付け手順とを有することを特徴とする情報読み取り方法。
【請求項１０】
前記原稿の前記表面の所定の位置に付された符号を読み取る第二の読み取り手順と、
前記第二の読み取り手段によって読み取られた前記符号と当該原稿の前記座標データとを関連付ける第二の関連付け手順とを更に有することを特徴とする請求項９記載の情報読み取り方法。
【発明の詳細な説明】
【技術分野】
【０００１】
本発明は、タブレット及び情報読み取り方法に関し、特に載置された原稿の表面に対して記入される情報を座標データとして電子化するタブレット及び情報読み取り方法に関する。
【背景技術】
【０００２】
従来、パソコンの発達により、文書編集ソフト（ワープロソフト）を用いて、文書を作成し、電子的に保存することができる。また、文書が電子的に作成されるのでＦＤ等に保存して簡便に持ち運ぶことができ、また、他のパソコンで編集作業を行うこともできる。一方において、作成された文書は、印刷を行い印刷原稿として保存したり、持ち運んだりすることもできる。さらに、文書が作成途中である場合等には、パソコンが使用できない移動中などでも、この印刷原稿に対して文房具を用いて加筆・推敲を行うこともできる。
【０００３】
しかしながら、印刷原稿に対する加筆等は、通常、印刷原稿上に対する筆記軌跡が残るのみである。従来、ユーザが、筆記軌跡も電子的に保存したい場合には、タブレットを用いている。例えば、特許文献１に記載されたタブレットによれば、印刷原稿をタブレットの所定の入力面に載置し、文房具を用いて印刷原稿に加筆等を行うことにより、筆記軌跡が電子的な座標データとしても保存され、予めタブレットに保存されている印刷原稿の画像データと当該座標データとを合成させることにより、加筆等された印刷原稿と同一内容の電子化された文書を得ることができる。
【０００４】
また、当該タブレットは、複数ページから構成される原稿を考慮し、各ページに付されたページ番号等のページ識別シンボルを読み込むことで、読み込まれたページ識別シンボルと当該ページに対する筆記軌跡の座標データとを対応付けて保存することができる。
【特許文献１】特開２００１−１４０９５号公報
【発明の開示】
【発明が解決しようとする課題】
【０００５】
しかしながら、例えば、ページ識別シンボル等が配置される箇所に重要な情報が印刷される用紙を扱う場合や、ページ識別シンボル等が配置される箇所に加筆を加えたい場合等、原稿面にページ識別シンボル等を配置するのは適切でない場合がある。
【０００６】
本発明は、上記の点に鑑みてなされたものであって、原稿面に原稿の識別情報を配置することが困難な原稿であっても、その原稿に対する識別情報を適切に認識することのできるタブレット、情報読み取り方法の提供を目的とする。
【課題を解決するための手段】
【０００７】
そこで上記課題を解決するため、本発明は、請求項１に記載されるように、載置された原稿の表面に対して記入される情報を座標データとして電子化するタブレットであって、前記載置された原稿の裏面の所定の位置に付された符号を読み取る第一の読み取り手段と、前記第一の読み取り手段によって読み取られた前記符号と当該原稿の前記座標データとを関連付ける関連付け手段とを有することを特徴とする。
【０００８】
このようなタブレットでは、原稿の裏面に付された符号を読み取ることができるため、原稿面に原稿の識別情報を配置することのできない原稿であっても、適切にその識別情報を認識することができる。
【０００９】
また、上記課題を解決するため、本発明は、上記タブレットにおける情報読み取り方法としてもよい。
【発明の効果】
【００１０】
本発明によれば、原稿面に原稿の識別情報を配置することが困難な原稿であっても、その原稿に対する識別情報を適切に認識することのできるタブレット、情報読み取り方法を提供することができる。
【発明を実施するための最良の形態】
【００１１】
以下、本発明の実施の形態を図面を参照しながら詳細に説明する。
実施の形態１．実施の形態１では、加筆された印刷原稿を電子的に編集する際の作業場所を特定の場所に限定せず、利便性の高いタブレットについて説明する。図１は、実施の形態１のタブレットの概観構成図（図１（ａ））と、概略構成を表すブロック図（図１（ｂ））である。タブレット１００は、載置された印刷原稿への筆記軌跡に対応した座標データを入力する座標入力部１０１と、外部機器との間で座標データ等の各種データの入出力を行う外部入出力部１０２と、座標入力部１０１に入力された座標データおよび外部入出力部１０２から入力された印刷原稿の画像データを記憶する記憶部１０３と、これら各部を制御する制御部１０４と、載置する印刷原稿を留めるクリップ１０５等とから構成される。
【００１２】
座標入力部１０１は、座標データの入力手段として、電磁誘導方式、磁気歪式、感圧式などを採用しうる。本実施の形態では感圧式を採用する。従って、印刷原稿に加筆する際に使用するペンは特別なものでなく、鉛筆、ボールペン、万年筆等の一般的な筆記具が使用できる。また、座標入力部１０１は、座標データの他にペンの状態、たとえばペンが筆記面上（印刷原稿を載置する面）にあるか、離れているかも感知する。
【００１３】
外部入出力部１０２は、ＲＳ−２３２ＣやＵＳＢなどの汎用性があり、広く行き渡っているインターフェースを用いる。本実施の形態では外部入出力部１０２には、ＵＳＢを採用している（図１（ａ）参照）。
【００１４】
記憶部１０３は、ハードディスク、フラッシュメモリ等の不揮発性の記憶媒体であれば、いかなる形式のものであってもよいが、記憶部１０３では内蔵のフラッシュメモリを採用する。なお、いうまでもないが、記憶部１０３は、着脱可能な記憶媒体を採用する態様であってもよい。記憶部１０３は、座標データの他にたとえば時間などの情報も記憶する。
【００１５】
制御部１０４は、ＣＰＵから構成される。また、制御部１０４は、適宜オペレーティングシステムを有し、装置各部を制御する。
【００１６】
次に、タブレット１００の動作について説明する。ユーザは、ワープロソフトなどにより原稿を作成し、この原稿を印刷する。タブレット１００は、原稿印刷の際に、この原稿の画像データを外部入出力部１０２を介して入力する。入力された画像データは記憶部１０３に記憶される。
【００１７】
本実施の形態およびそれ以降の実施の形態においては、画像データとは、印刷原稿のもととなったデータすべてを表す。すなわち、本実施の形態およびそれ以降の実施の形態では、ワープロソフトなどにより作成された電子化された文書を構成するデータをすべて画像データと称することとする。従って、その形式は、ワープロソフトにより直接作成されたバイナリデータであっても、ビットマップに展開されたイメージデータであっても、すべて画像データと表記する。
【００１８】
ユーザは、ワープロソフトを利用できないとき、たとえば移動中に、タブレット１００に、印刷原稿を載置し、ポールペンなどの汎用筆記具で加筆を行う。この際、印刷原稿には筆記軌跡が書き込まれ、この筆記軌跡は、同時に座標入力部１０１を通じて、電子的な筆記軌跡（座標データ）として記憶部１０３に記憶される。
【００１９】
ユーザは、外出先のワープロソフトなどを利用して、記憶部１０３に記憶された座標データを画像データと重ね合わせ（合成し）、加筆された印刷原稿と同様の電子化された文書を得ることができる。
【００２０】
実施の形態１の発明によれば、タブレットが座標データに加えて、画像データを記憶するので、文書の管理が簡便となり、加筆された印刷原稿を電子的に編集する際、従来の様に、文書を作成した装置でしかできないといった制限から解放される。従って本発明のタブレットは、利便性が高い。
【００２１】
実施の形態２．実施の形態２では、さらに、原文書に筆記軌跡を重ね合わせたデータをユーザが編集作業することなく簡便に得ることのできるタブレットについて説明する。なお、本実施の形態においては、実施の形態１と重複する部分については、その説明を省略し、また、図面にも、特に断らない限り同一の符号を配する。
【００２２】
図２は本実施の形態のタブレットの概略構成図である。タブレット１１０は、タブレット１１０に載置され、筆記軌跡の加わった印刷原稿と同一となるように、記憶部１０３により記憶された座標データを画像データに重ね合わせる（合成する）合成部１１１を有する。
【００２３】
次に合成部１１１が座標データを画像データに合成する方法について例示する。図３および図４は、制御部が座標データを画像データに合成する方法について説明する説明図である。まず図３を用いて空白部分への加筆について説明する。載置された原稿１１２ａは作成中途の原稿であり「…プロジェクトの成果は以下に要約される。すなわち」までが作成されていて、以下は白紙である。ユーザが原稿１１２ａの白紙部分に「１．コストの削減」「２．開発期間の短縮」と加筆したとする。１１２ｂは加筆された筆記軌跡のみを表している。記憶部１０３は、この筆記軌跡（座標データ）のみを記憶する。合成部１１１は、記憶部１０３に記憶された画像データと座標データとを比較し、座標データの位置に対応する画像データが空白部分であると判断し、画像データを加筆部分としてそのまま画像データに合成する（１１２ｃ参照）。
【００２４】
次に、図４を用いて推敲について説明する。ユーザは原稿１１３ａを見直し「１．ネゴシエーションの不備」「２．人的配置」を訂正するため、当該行に二重線を引き、それぞれの行間に「Ａ：交渉力の欠乏」「Ｂ：各セクションの人数配分」と、加筆したとする（１１３ｂ参照）。加筆部分に該当する座標データは、記憶部１０３に記憶される。合成部１１１は、記憶部１０３に記憶された座標データを画像データと比較し、二重線に対応する部分に文字があり、上の行との間に加筆部分があるため、二重線に対応する部分は行間に記載された文字に置換されるものと判断して、加筆部分を置換する（１１３ｃ参照）。
【００２５】
座標データを画像データに合成する他の方法について説明する。記憶部１０３に記憶された画像データがビットマップによるイメージデータである場合は、筆記軌跡である座標データもビットマップに変換し、両方のデータを単純に合成して（重ね合わせて）、筆記軌跡の加わった印刷原稿と同一のイメージデータを得ることもできる。また、記憶部１０３に記憶された画像データがイメージデータでなくとも、画像データと座標データとを、何れもビットマップデータに変換した後、両方のデータを単純に重ね合わせて、筆記軌跡の加わった原稿と同一のイメージデータを得ることもできる。
【００２６】
なお、座標データは手書きであるため、通常、文字キャラクタと認識されないが、適宜、制御部１０４のＣＰＵにより文字コードに変換するものとする。これは、たとえば、ＯＣＲソフトなどにより使用されているパタン認識の手法を用いれば足りる。
【００２７】
また、重ね合わせる際には、たとえば外部入出力部１０２を通じて適宜モニタなどを通じて、操作者に確認を求め、重ね合わせの効率化を図ることもできる。
【００２８】
実施の形態２の発明によれば、合成部で、座標データを画像データに重ね合わせるので、ユーザが後刻、煩わしい編集作業することなく、合成された画像データを得ることができる。従って、本発明のタブレットは、利便性が高い。
【００２９】
実施の形態３．実施の形態３では、さらに、複数ページからなる印刷原稿であっても、どの筆記軌跡がどのページに書き込まれたかを認識して自動的に重ね合わせるタブレットについて説明する。なお、本実施の形態においては、実施の形態１もしくは２と重複する部分については、その説明を省略し、また、図面にも、特に断らない限り同一の符号を配する。
【００３０】
図５は、本実施の形態のタブレットの概観構成図（図５（ａ）図５（ｂ））と概略構成を表すブロック図（図５（ｃ））である。図５（ａ）もしくは図５（ｂ）から分かるように、タブレット１２０はクリップ１０５の原稿載置面に向かい合う位置に光学式の読取部（スキャナ）１０６を有する。また、クリップ１０５はバネ１０７を有し、バネ１０７の力により印刷された原稿を挟み留める。この位置にスキャナを配することにより、原稿のヘッダ部分を読み込みページ毎に原稿を識別することが可能となる。
【００３１】
次に、タブレット１２０の動作について説明する。ユーザは、ワープロソフトなどにより原稿を作成し、この原稿を印刷する。また、原稿にはヘッダにページ番号が印刷される。使用の態様によってはドライブ名＋ディレクトリ名＋文書ファイル名＋ページ番号や、ＵＲＬが印刷される。ユーザは原稿をタブレット１２０に載置し、クリップ１０５により固定する。スキャナ１０６は、原稿のヘッダに記載されたページ番号を読み取り、記憶部１０３は、ページ番号を座標データに関連づけて記憶する。合成部１１１は、記憶部１０３に記憶された座標データを、当該座標データの書き込まれたページに該当する画像データに合成する。記憶部１０３は合成された画像データを記憶する。なお、図５（ｃ）のページ識別部１０６は、図５（ａ）もしくは（ｂ）で示したスキャナ１０６をブロック図として表したものであって、両者は同一のものである。
【００３２】
スキャナ１０６は、クリップ１０５に配設された態様に限定されない。たとえば、フッタ位置に配設されていてもよい。但し、この場合は、印刷原稿の裏面にページ番号が印刷されている必要があるか、ユーザが、加筆する印刷原稿を裏返して読み込ませる動作を行う必要がある。
【００３３】
また、スキャナ１０６は印刷原稿のヘッダのページ番号を読み込むが、ヘッダに記載される文字には、ローマ字、漢字、ひらがな、カタカナ、数字など多様であるため、読み取りミスも発生しやすい。また、これらを一つ一つ認識させるには、装置構成が複雑になる。一方、ファイル名などの識別子は、必ずしもユーザ（人間）が識別可能に印刷されている必要はない。そこで、たとえば二次元バーコードを印刷するなどして、ページ識別部１０６が識別子を認識しやすくすることもできる。図６は二次元バーコードの例を表す図である。この場合は、原稿を記録紙に印刷する印刷装置が、ページ数を認識して、二次元バーコードをスキャナ１０６で認識可能な位置に認識可能な態様で印刷する必要があるが、この機能を有する印刷装置については後述する。
【００３４】
なお、スキャナ１０６は必ずしも光学読み取り可能なスキャナでなくてもよく、タブレット１２０に載置された印刷原稿を認識できるものであればよい。その他の認識手段としては、原稿に記載された最初の数行を読み込み、パターンマッチングの手法を用いて印刷原稿と、記憶部１０３に記憶された画像データとを対応付ける方法が挙げられる。
【００３５】
また、スキャナ１０６を配することなく、たとえば、座標入力部１０１の一定エリアに「１３」と筆記し、加筆するページが第１３ページ目であると認識させる等の態様であってもよい。
【００３６】
実施の形態３の発明によれば、タブレットは、複数ページからなる印刷原稿であっても、どの筆記軌跡がどのページに書き込まれたかを認識して自動的に重ね合わせることが可能となる。また、記憶部が複数の文書ファイル（画像データ）を記憶する場合であっても、載置された印刷原稿がどの文書ファイルに対応したものかであるかを認識して、自動的に重ね合わせることが可能となる。
【００３７】
実施の形態４．実施の形態４では、複数ページからなる印刷原稿であっても、どの筆記軌跡がどのページに書き込まれたかを認識して自動的に重ね合わせるタブレットの別の例について説明する。なお、本実施の形態においては、実施の形態１もしくは２と重複する部分については、その説明を省略し、また、図面にも、特に断らない限り同一の符号を配する。
【００３８】
図７は、本実施の形態のタブレットの概観構成図である。タブレット１２５は、電磁誘導式デジタイザからなる手書き入力部（座標入力部１０１）と、外部機器と通信を行う通信インターフェース（外部入出力部１０２）と、文書情報が印刷された複数枚の印刷原稿ＰＰを保持する保持用クリップ１０５と、印刷原稿ＰＰの縦横の端を規定するガイド１０８と、バーコードからなる識別記号ＢＣを読み取るためのバーコードリーダーの窓１０９等から構成される。
【００３９】
ガイド１０８は、印刷原稿ＰＰの上端に対しては段差が設けられ、左端に対しては後述するバーコードリーダー部を格納する部位の形状が適宜応用されている。この形状により、印刷原稿ＰＰの位置合わせが行なわれる。
【００４０】
図８は、図７のタブレット１２５をＡ−Ａ’で切断した断面図である。タブレット１２５のバーコードリーダー部（ページ識別部１０６）は、識別記号ＢＣを読み取るための光源１６１と、光源１６１から照射された照射光を収束するレンズ１６２と、照射光を反射するミラー１６３と、バーコードリーダーの窓１０９と、識別記号ＢＣを反射した反射光を受光する受光部１６４等から構成される。ここでは、光源１６１はＬＥＤからなり、また、受光部はラインセンサからなり識別記号ＢＣを効率的に識別する。
【００４１】
次に、本実施の形態のタブレット１２５の使用態様について説明する。図９は、実施の形態４のタブレットの使用態様を表す説明図である。ユーザは、複数枚の印刷原稿ＰＰを、タブレット１２５のガイド１０８を利用して位置合わせを行い、クリップ１０５で印刷原稿ＰＰを保持する。バーコードリーダー部は、印刷原稿ＰＰ上に印刷されている識別記号ＢＣを読み取り、最上部の原稿（ユーザが加筆を行おうとする原稿）を識別する。ここで、ガイドにより位置合わせが行なわれているので、バーコードリーダー部は確実に原稿を認識することができる。
【００４２】
次に、ユーザは電磁ペン１５０（図７参照）を用いて、印刷原稿ＰＰに加筆する。この情報は加筆情報ＡＩ（筆記軌跡）として、手書き入力部で入力される。一枚目の加筆が終わったら、ユーザは２枚目の印刷原稿ＰＰに加筆を行う。このとき、印刷原稿ＰＰは上部がクリップ１０５で固定されているので、いわゆるぱらぱらめくり式に紙をめくることが可能である。さらに、２枚目については既に位置決めがされているので、バーコードリーダー部により、自動的に２枚目の原稿を識別することができる。以下同様に複数枚の印刷原稿ＰＰに加筆を行うことができる。
【００４３】
実施の形態４の発明によれば、タブレットには、上部にクリップ、左側にバーコードリーダー部、およびガイドが備わっているので、ガイドを利用してユーザが一旦複数枚の印刷原稿を載置すれば、以降は、加筆を終えクリップ側に印刷原稿をめくることにより、タブレットが自動的に各ページを識別し、かつ、筆記軌跡を当該ページに自動的に重ね合わせることが可能となる。なお、ユーザが左利きの場合は、右側にバーコードリーダー部を配すれば、バーコードリーダー部の光源１６１からの照射光は遮光されない。
【００４４】
実施の形態５．実施の形態５では、原稿を印刷する際に外部へ画像データを送出する印刷装置について説明する。図１０は、実施の形態５の印刷装置の概略構成を表す概略構成図である。印刷装置２００は、画像データを記録紙に印刷する印刷部２０１と、画像データを含み各種データを外部機器から入力し、また、これらのデータを外部機器へ出力する外部入出力部２０２と、印刷部２０１、外部入出力部２０２および印刷装置２００のその他各部を制御すると共に、印刷部２０１が画像データを印刷する際にあっては、外部入出力部２０２が当該画像データを印刷装置２００外部へ転送する制御を行う制御部２０３等とから構成される。
【００４５】
印刷部２０１は、画像データを記録紙に印刷するものであればその態様は問わない。たとえば、印刷部２０１は、インクジェット方式、レーザプリント方式、昇華型プリント方式により、画像データを記録紙に印刷する。
【００４６】
外部入出力部２０２は、ＲＳ−２３２ＣやＵＳＢなどの汎用性のあるインターフェースを採用する。また、ホスト装置から画像データを入力し、印刷状況をホスト装置に出力する用途としてプリンタポートを備え、これとは別個独立に、入力した画像データ、または、当該画像データの形式が適宜変換された画像データ、もしくは、付加情報の加わった画像データ等を出力する用途としてＵＳＢポートをそれぞれ有するという構成も採用できる。
【００４７】
制御部２０３は、ＣＰＵ（プリンタコントローラ）から構成される。また、制御部２０３は、適宜オペレーティングシステムを有し、装置各部を制御する。また、後述するように、制御部２０３は、印刷制御と共に、画像データの出力制御も行うので、マルチタスクを効率的に行うＲＩＳＣタイプのＣＰＵである方が好ましい。さらに、外部入出力部２０２で入力した画像データを、必要に応じて、ビットマップデータなどに展開し、外部入出力部２０２を制御して、外部装置例えばタブレット１２０に出力する制御も行う。
【００４８】
次に、印刷装置２００の動作について説明する。ユーザは、ホスト装置（パソコンなど）のワープロソフトなどにより原稿を作成し、この原稿を印刷するように印刷装置２００に対して印刷指示を出す。印刷装置２００は外部入出力部２０２を通じて、印刷指示および画像データを入力する。制御部２０３は、印刷指示に従って、印刷部２０１を制御し画像データを記録紙に印刷する。このとき制御部２０３は、さらに外部入出力部２０２を制御して、画像データを外部機器、たとえば実施の形態１〜３で説明したタブレットに出力する。タブレット以外でも、たとえば、印刷装置２００に外部入出力部２０２に直結したスロット（図示せず）を配して、ＡＴＡカード、コンパクトフラッシュ（登録商標）カードなどの汎用メモリに出力することもできる。
【００４９】
次に、ホスト装置（パソコンなど）が印刷装置２００に印刷指示と共に画像データを送出する際の動作について説明する。図１１は、ホスト装置が印刷装置に印刷指示と共に画像データを送出する際の動作を説明するブロック図である。図１１（ａ）で、３００はコンピュータを表し、内部に電子的な文書を作成する文書編集ソフト（ワープロソフト）３０１および文書編集ソフトの指示に従って電子的な文書をプリンタのコマンドに変換しプリンタに送るソフトであるドライバソフト３０２を有する。
【００５０】
コンピュータ３００の操作者が文書の印刷を行う場合、まず、文書編集ソフト（ワープロソフト）３０１を起動し、印刷を指示する。すると文章編集ソフト３０１は、作成した文書（データ）をドライバソフト３０２に引き渡す。ドライバソフト３０２は、作成したデータをプリンタ２００の処理に適したデータ（画像データ）、たとえばページ記述言語に変換し印刷装置２００に送出する。
【００５１】
ドライバソフト３０２は、データ送出を行う場合に、画像データとは別に、後に印刷装置２００の外部入出力部２０２から出力して、タブレット等の外部機器が入力しその後の処理を行いやすいようなデータを送出してもよい。たとえば、文書編集ソフトで作成したそのままのデータ形式やリッチテキスト形式、ＨＴＭＬ形式等が挙げられる。ドライバソフト３０２は市販のコンパイラなどのツールを用いて容易に作成することができる。ドライバソフト３０２を用いれば、ユーザは文書編集ソフト３０２に印刷指示をするだけで、印刷と同時に文書（データ）を外部に送出することができる。
【００５２】
ホスト装置（パソコンなど）が印刷装置２００に印刷指示と共に画像データを送出する際の動作の別の例について説明する（図１１（ｂ）参照）。図で３０３は、文書編集ソフト３０１を操作するオートメーションクライアントソフトである。オートメーションクライアントソフト３０３は、ユーザの指示を受けて、文書編集ソフト３０１に対するコマンドの送受信、文書編集ソフト３０１内の関数の呼び出しなどを行う。図１１（ｂ）は、そのうちオートメーションクライアントソフト３０３を用いた印刷指示を表した図である。ユーザはオートメーションクライアントソフト３０３を用いて、図示しない記憶部（ハードディスクなど）に格納された文書ファイルの印刷指示を行う。
【００５３】
オートメーションクライアントソフト３０３は、一方において文書編集ソフトを起動し、当該文書ファイルを読み込み、既に設定されたフォント、ポイント、レイアウト等によりドライバ３０２を通じて印刷装置２００にこれらの文書を画像データとして送出し、他方において当該文書ファイルをそのままの保存形式でプリンタ２００に送出する。なお、オートメーションクライアントソフト３０３は市販のコンパイラなどのツールを用いれば容易に作成することができる。
【００５４】
また、別の例として、文書作成ソフト３０１内のいわゆるマクロ機能を用いて印刷指示および画像データの送出を行うこともできる（図１１（ｃ）参照）。ユーザは、あらかじめ準備されたマクロもしくは自分が作成したマクロを使用して、作成した文書を印刷する際に、マクロを実行して印刷装置２００に画像データを送出する。なお、マクロ機能の他、アドインソフト、プラグイン、エクステンションによっても、印刷指示および画像データの送出を行う態様であってもよい。
【００５５】
なお、コンピュータ３００側に備わっているドライバ３０２、オートメーションクライアントソフト３０３またはマクロ３０４を、印刷装置２００側に設ける態様であってもよい。
【００５６】
実施の形態５の発明によれば、印刷装置は、印刷と同時に外部機器（たとえばタブレット）に、画像データを出力するので、ユーザは、印刷原稿とその電子化された文書を同時に入手できる。従って、従来のように、一方ではパソコンからＦＤへ文書ファイルを転送し、他方で印刷指示を出し、印刷原稿を得るという、煩雑な操作を行わずに済む。また、紙を出力する印刷装置のある場所で画像データを入手できるので、文書管理を確実に行うことが可能となる。
【００５７】
実施の形態６．実施の形態６では、さらに、原稿を印刷する際にページ識別シンボルを印刷する印刷装置について説明する。なお、本実施の形態においては、実施の形態５と同一構成を有するので、その説明には図１０を用いることとする。印刷装置２００の制御部２０３は、印刷部２０１を制御して、画像データの印刷と共に記録紙の各ページを識別する機械読み取り可能な印（ページ識別シンボル）を印刷する。印刷されたページ識別シンボルは、たとえば、タブレット１２０（図５参照）により、読み込まれ、印刷原稿の各ページが識別される。
【００５８】
文書作成ソフトにより、ページ番号もしくはファイル名とページ番号を組み込んだ画像データである場合は、そのページ番号もしくはファイル名とページ番号を利用することもできるが、通常それらは、数字、漢字、ひらがな、カタカナ、ローマ字などの、人間が認識しやすいシンボルである。従って、これを機械読み取りさせ、識別させるためには、読み取り側の装置構成が複雑となる。また、文書作成ソフトでページ番号の挿入指定をしなかった場合には、従来では、そのまま印刷しても、原稿の各ページはユーザが認識するしかない。印刷装置２００は、印刷するページ識別シンボルは、たとえば、図６に表した、二次元バーコードや、一次元バーコード等のデジタル処理が単純となるページ識別シンボルを用いるので、読み取り側の装置構成が簡単となり、また、文書作成ソフトによらず、必ずページ識別シンボルが付与される。
【００５９】
実施の形態６の発明によれば、画像データの印刷と共に機械読み取り可能なページ識別シンボルを必ず印刷する。このシンボルを利用すれば複数ページからなる原稿であっても読み取り側の装置で簡易に各ページを識別することができる。従って、ユーザは、後刻加筆部分をマージする際のページ管理、ページ識別の負担が少なくなる。
【００６０】
実施の形態７．実施の形態７では、さらに、ページ識別シンボルと、画像データとを対応付けた対応データを生成し、対応データを装置外部に転送する印刷装置について説明する。なお、本実施の形態においては、実施の形態５および６と重複する部分については、その説明を省略し、また、図面にも、特に断らない限り同一の符号を配する。図１２は、実施の形態７の印刷装置の概略構成図である。印刷装置２１０は、印刷部２０１、外部入出力部２０２、制御部２０３に加えて、ページ識別シンボルと画像データとを対応付ける対応データ生成部２０４を有する。
【００６１】
次に、対応データ生成部２０４について、印刷装置２１０の他の各部の動作と合わせて説明する。外部入出力部２０２は画像データを外部機器（パソコンなど）から入力する。制御部２０３は、印刷部２０１を制御して記録紙に、画像データと共にページ識別シンボルを印刷する。このとき対応データ生成部２０４は、ページ識別シンボルが画像データのどの領域（どのページ）と対応しているかの対応データを生成する。たとえば、画像データが、イメージデータとして入力された場合は、イメージが切り替わる制御信号を検出して次の制御信号までを１ページ分と判断しページ識別シンボルを対応させる。対応データは、画像データと共に、外部入出力部２０２を通じて、外部機器、たとえばタブレットに送出する。
【００６２】
なお、対応データ生成部２０４は、画像データの形式を理解し、その中のレイアウト制御信号を理解する。従って、新たな文書作成ソフトのレイアウト構造制御を理解するために、専用の処理チップと書き換え可能な制御プログラムという構成であってもよい。なお、使用の態様により、制御部２０３の一部として構成されていてもよい。
【００６３】
実施の形態７の発明によれば、機械読み取り可能なページ識別シンボルが画像データのどの部分に対応したものであるかの対応データを生成し、これを画像データと共に、外部機器、たとえばタブレットに送出するので、外部機器側で、印刷原稿と、画像データとの対応をとる際の処理の効率化に資する。
【００６４】
実施の形態８．実施の形態８では、タブレットと印刷装置とからなる座標入力システムについて説明する。図１３は、実施の形態８のタブレットと印刷装置とからなる座標入力システムの概略構成を表すブロック図である。以降において、タブレットと印刷装置とからなる座標入力システムを単にシステムと称することとする。システム４００は、タブレット１３０と、印刷装置２２０とから構成される。
【００６５】
印刷装置２２０は、画像データを記録紙に印刷する印刷部２２１と、画像データを含み各種データをホスト装置から入力し、また、これらのデータをタブレット１３０へ出力する外部入出力部２２２と、印刷部２２１、外部入出力部２２２および印刷装置２２０のその他の各部を制御すると共に、印刷部２２１が画像データを印刷する際にあっては、外部入出力部２２２が当該画像データをタブレット１３０へ転送する制御を行う制御部２２３等とから構成される。
【００６６】
タブレット１３０は、印刷装置２２０の印刷部２２１により記録紙に印刷され、タブレット１３０に載置された原稿への筆記軌跡に対応した座標データを入力する座標入力部１３１と、印刷装置２２０との間で座標データの出力や各種データの入出力を行う外部入出力部１３２と、座標データおよび画像データを記憶する記憶部１３３と、これら各部を制御する制御部１３４とから構成される。また、タブレット１３０は、載置する原稿を留めるクリップ（図示せず）等も有する。
【００６７】
さらに、印刷装置２２０には、タブレット１３０の記憶部１３３に記憶された座標データを画像データと合成する合成部２２４を備える。合成された画像データは必要に応じて図示しない記憶部に格納され、その後の操作の指示により処理され、印刷部２２１により記録紙に印刷され、外部入出力部２２２を通じて、再びタブレット１３０に送出され、または、ホスト装置に転送されたりする。また、ホスト装置の文書編集ソフト（ワープロソフト）で合成処理を行うこともできる。タブレット１３０で入力された座標データは、イメージとして記憶される場合が多いので、文書編集ソフトは、文字のみでなく、イメージファイルを処理できるものであることが必要である。
【００６８】
タブレット１３０は、携帯用途に作り込みがされているため、その形状、重量、処理能力、バッテリー時間等には一定の限界がある。従って、システム４００では、合成部２２４が、合成処理を行うことにより、タブレット１３０には、過多な処理能力が要求されない。従ってバッテリー時間も確保され、利便性の高いシステムを提供することが可能となる。
【００６９】
実施の形態８の発明によれば、タブレットと印刷装置がセットとなった座標入力システムであるので、実施の形態１、２、５によるタブレットおよび印刷装置の有するそれぞれの効果が相乗するのみならず、印刷装置側の合成部を使用することにより、効率的に座標データを画像データに重ね合わせることが可能となり、タブレットの設計の自由度が高まるという効果を有する。
【００７０】
実施の形態９．実施の形態９では、さらに、印刷装置が画像データの印刷と共に、ページ識別シンボルを印刷し、タブレットが、このページ識別シンボルにより載置された原稿を認識するシステムについて説明する。なお、本実施の形態においては、実施の形態８と重複する部分については、その説明を省略し、また、図面にも、特に断らない限り同一の符号を配する。
【００７１】
図１４は本実施の形態のシステムの概略構成図である。システム４０１において、印刷装置２２０の制御部２２３は、印刷部２２１を制御して記録紙の各ページに画像データと共にページを識別する印であるページ識別シンボルを印刷する。ページ識別シンボルは、複数ページからなる印刷原稿のそれぞれを、後述するタブレット１３０のページ識別部１３５で認識可能な識別子である。このページ識別シンボルは、ページ識別部１３５が識別できるものであればいかなるものであってもよいが、タブレット１３０の装置構成が複雑とならないように、ページ識別部１３５が簡易に識別できるものがよい。
【００７２】
ページ識別シンボルは、たとえば、バーコードであってもよいし、複数の画像データ（複数の原稿ファイル）の識別のために、ドライブ名＋ディレクトリ名＋ファイル名＋ページ番号といった識別すべき要素が多い場合は、図６の様な二次元バーコードを用いて、情報量が多い場合に対応することもできる。その他、通し番号として、０〜９までの数字のみを使用するのであれば、人間にも読み取り可能となり、かつ、タブレット側においても装置構成を複雑化することなくページを識別することが可能となる。
【００７３】
一方、タブレット１３０では、ページ識別部１３５が、印刷部２２１によって印刷された原稿の各ページを、ページ識別シンボルにより識別する。ページ識別部１３５は、実施の形態３で説明したように、スキャナ等からなり、タブレット１３０のクリップ（図示せず）裏面に配するなどして、載置された原稿のページを認識する。
【００７４】
実施の形態９の発明によれば、実施の形態１〜６によるタブレットおよび印刷装置の有するそれぞれの効果が相乗するのみならず、使用される印刷装置とタブレットがセットとなっているので、印刷装置がタブレットのページ識別部の位置に合わせてページ識別シンボルを印刷することができる。従ってユーザが、印刷原稿を読み込ませる動作をせずに済み、利便性が高くなる。
【００７５】
実施の形態１０．実施の形態１０では、さらに、複数ページからなる印刷原稿であっても、どの筆記軌跡がどのページに書き込まれたかを認識して自動的に重ね合わせる（合成させる）タブレットとこの重ね合わせ処理を効率的に行わせる印刷装置とからなる座標入力システムについて説明する。なお、本実施の形態においては、実施の形態８もしくは９と重複する部分については、その説明を省略し、また、図面にも、特に断らない限り同一の符号を配する。
【００７６】
図１５は、本実施の形態のシステムの概略構成を表すブロック図である。システム４０２において、印刷装置２２０の制御部２２３は、印刷部２２１を制御して記録紙に画像データと共にページ識別シンボルを印刷する。このとき対応データ生成部２２５は、ページ識別シンボルが画像データのどの領域（どのページ）と対応しているかの対応データを生成する。たとえば、画像データが、イメージデータとして入力された場合は、イメージが切り替わる制御信号を検出して次の制御信号までを１ページ分と判断しページ識別シンボルを対応させる。対応データは、画像データと共に、外部入出力部２２２を通じて、タブレット１３０に送出する。
【００７７】
タブレット１３０では、外部入出力部１３２を介して入力した対応データは、記憶部１３３に格納される。またタブレット１３０は、記憶部１３３に記憶された座標データを画像データと合成する（重ね合わせる）合成部１３６を備える。合成部１３６は、記憶部１３３に格納された座標データを画像データに重ね合わせる際に、対応データを参照し、ページ識別シンボルが画像データのどの部分に対応したものであるかを自動的に判定する。
【００７８】
実施の形態１０の発明によれば、実施の形態１〜７によるタブレットおよび印刷装置の有するそれぞれの効果が相乗するのみならず、タブレットで画像データに座標データを加える処理を迅速に行わせることが可能となる。
【００７９】
実施の形態１１．実施の形態１１では例えば、図１５のシステム４０２等において、原稿の裏面にページ番号等を示すページ識別シンボル（以下「バーコード」と記す）が印刷されている場合について説明する。なお、本実施の形態においては、実施の形態１０等と重複する部分については、その説明を省略し、また、図面にも、特に断らない限り同一の符号を配する。
【００８０】
図１６は、本実施の形態のタブレットの概観構成図である。図１６において、タブレット１３０は、座標入力部１３１と、光源１３５１及び１３５２と、受光部１３５３と、ミラー１３０１、１３０２及び１３０３と、レンズ１３０４及び１３０５等とを有し、座標入力部１３１には、原稿１１４が載置されている。また、座標入力部１３１には、裏面バーコード１１４２が位置する箇所に透明板１３１１が設けられている。なお、原稿１１４には、原稿面若しくは裏面のいずれか一方、又は両面にバーコードが印刷されているものとする。以降において、原稿面に印刷されているバーコードを「表面バーコード１１４１」といい、裏面に印刷されているバーコードを「裏面バーコード１１４２」という。
【００８１】
光源１３５１及び１３５２は、表面バーコード１１４１又は裏面バーコード１１４２を読み取るための照射光を照射する。ミラー１３０１、１３０２及び１３０３は、光源１３５１又は１３５２から照射された照射光を表面バーコード１１４１又は裏面バーコード１１４２に対して反射させる。レンズ１３０４及び１３０５は、光源１３５１又は１３５２より照射された照射光を収束する。受光部１３５３は、表面バーコード１１４１又は裏面バーコード１１４２を反射した反射光を受光する。
【００８２】
図１７は、本実施の形態のページ識別部のブロック図である。図１７に示されるようにページ識別部１３５（図１５参照）は、上述した光源１３５１及び１３５２と、受光部１３５３と、光源制御部１３５４とから構成される。光源制御部１３５４は、ＣＰＵから構成され、光源１３５１と光源１３５２との切り替えの制御を行うことにより、表面バーコード１１４１又は裏面バーコード１１４２を受光部１３５３に取り込ませる。
【００８３】
図１８は、光源制御部による二つの光源の切り替えのタイミングチャートの一例である。図１８に示されるように、例えば、光源制御部１３５４は、光源１３５１と光源１３５２とが一定周期で交互にＯＮ又はＯＦＦとなるよう制御する。光源制御部１３５４は、光源１３５１をＯＮとした際に受光部１３５３に取り込まれたバーコードは表面バーコード１１４１として識別し、光源１３５２をＯＮとした際に受光部１３５３に取り込まれたバーコードは裏面バーコード１１４２として識別する。
【００８４】
すなわち、表面バーコード１１４１を読み取る際は、光源制御部１３５４は、光源１３５１を点灯させる。光源１３５１からの照射光はレンズ１３０４を通り、ミラー１３０１に反射して表面バーコード１１４１に照射される。照射光が照射されることにより、表面バーコード１１４１は、ミラー１３０１によって反射されて受光部１３５３に取り込まれる。
【００８５】
一方、裏面バーコード１１４２を読み取る際は、光源制御部１３５４は、光源１３５２を点灯させる。光源１３５２からの照射光は、レンズ１３０５を通り、裏面バーコード１１４２に照射される。照射光が照射されることにより裏面バーコード１１４２は、ミラー１３０２及びミラー１３０３によって反射されて受光部１３５３に取り込まれる。ここで、裏面バーコード１１４２が位置する箇所には、裏面バーコード１１４２を読み取るための窓として透明板１３１１が設けられているため、座標入力部１３１に遮られることなく裏面バーコード１１４２を読み取ることができる。なお、透明板１３１１は、光を通せる程度の透明度があればよい。また、必ずしも透明板１３１１を設ける必要はなく、透明板１３１１の位置に穴が開けられているだけでもよい。
【００８６】
受光部１３５３に取り込まれた表面バーコード１１４１又は裏面バーコード１１４２等のバーコード情報は、いずれの光源がＯＮであったかを示すデータ（以下「切り替えデータ」という。）と共に、制御部１３４（図１５参照）に出力される。制御部１３４は、切り替えデータを参照することにより、入力されたバーコード情報が原稿面に印刷されたものなのか、又は裏面に印刷されたものなのかを識別することができる。
【００８７】
したがって、制御部１３４は、バーコードが両面に印刷されている場合であっても、筆記軌跡の座標データと読み取られたバーコード情報とを適切に関連付けることができる。すなわち、原稿１１４が、片面原稿の場合は、原稿面及び裏面に印刷された二つのバーコードが読み取られるが、両者は一つの原稿面に対応する同一のシンボルである（例えば、いずれも同じページ番号である）と考えられる。したがって、座標データをいずれのバーコード情報と関連付けてもよく、バーコードが原稿面又は裏面のいずれか一方に印刷されている場合と同様に扱うことができる。
【００８８】
また、原稿１１４が、両面原稿の場合は、一方の原稿面（以下「原稿面１」という。）と他方の原稿面（以下「原稿面２」という。）とにおけるそれぞれのバーコードに原稿面１に対するページ識別シンボルであるのか又は原稿面２に対するページ識別シンボルであるのかを識別するためのフラグ情報を埋め込んでおけばよい。制御部１３４は、二つのバーコード情報における当該フラグの値が異なることにより原稿１１４は両面原稿であることを認識することができると共に、座標データとバーコード情報とを正しく関連付けることができる。
【００８９】
なお、バーコードが裏面に印刷される原稿１１４を作成するには、原稿１１４の原稿ファイルにおいてページ識別シンボル（バーコード）に関する情報が記録されている部分に、当該ページ識別シンボルは原稿面に印刷されるものなのか又は裏面に印刷されるものなのかを示すフラグを記録するようにすればよい。
【００９０】
例えば、両面印刷装置は、当該フラグを参照することにより原稿１１４のバーコードを裏面に印刷する必要があることを判断すると、原稿１１４を両面原稿として取扱い、バーコードが裏面の指定された座標に配置されているものとして取り扱う。その結果、原稿１１４の裏面にはバーコードのみが印刷される。
【００９１】
また、片面プリンタを使用して、原稿１１４の裏面にバーコードを印刷させたい場合は、まず、原稿面の印刷が終了後、印刷処理が一時停止して、原稿面の印刷が終了した紙を再び印刷機のトレイにセットして、一時停止を解除して、原稿１１４の裏面にバーコードを印刷させればよい。原稿１１４を再びセットする操作は、例えば、印刷装置の表示部や印刷装置に接続しているコンピュータの表示部等に、ユーザに対するメッセージ等を表示させるようにすれば、ユーザは容易に作業を行うことができる。
【００９２】
実施の形態１１の発明によれば、必ずしも原稿面にページ識別シンボルを印刷する必要はない。したがって、原稿面において本来ページ識別シンボルが印刷される箇所に、原稿データ又は座標データ等を印刷させたい場合には、原稿の裏面にページ識別シンボルを印刷させればよい。特に、本来、ページ識別シンボルが印刷される箇所に重要な情報が印刷される用紙の場合、裏面にページ識別シンボルを印刷させることにより、原稿面においてページ識別シンボルを意識しないで原稿作成を行うことが可能となり、原稿面のページ識別シンボル以外の部分に影響を及ぼさないようにすることが可能となる。
【００９３】
また、実施の形態１１の発明によれば、両面原稿をタブレットで使用することも可能となる。例えば、アンケート用紙において、アンケートの項目が多く、記載が裏面にまでおよぶ場合（つまり両面印刷された用紙の場合）、表面のアンケートに記入しているとき（用紙の表面に記入しているとき）に、本発明に係るタブレットが、裏面に印刷されているページ識別シンボルを認識して、当該タブレットの表示部分に「裏面もあります」というメッセージを表示させることにより、アンケート記入者は、アンケート用紙が両面印刷であることを認識できる。また、自由記入欄（文章記述欄）が設けられたアンケート用紙において、自由記入欄の表面だけでは書ききれない場合を想定して、アンケート用紙を両面使用可能とするためにページ識別シンボルを両面印刷しておけば、裏面に記入可能となり、裏面に記入した情報も座標データとして保存される。
【００９４】
なお、上記においてバーコード等をページ識別シンボルとして説明したが、当該バーコード等は、必ずしも複数ページからなる原稿のそれぞれのページを識別するために用いられるものに限定されない。例えば、原稿そのものを識別するためや、原稿の内容や種類等を識別するものであってもよい。
【００９５】
以上、本発明の好ましい実施例について詳述したが、本発明は係る特定の実施形態に限定されるものではなく、特許請求の範囲に記載された本発明の要旨の範囲内において、種々の変形・変更が可能である。
【図面の簡単な説明】
【００９６】
【図１】実施の形態１のタブレットの概観構成図および概略構成を表すブロック図である。
【図２】実施の形態２のタブレットの概略構成図である。
【図３】実施の形態２において、制御部が座標データを画像データに合成する方法について説明する説明図である。
【図４】実施の形態２において、制御部が座標データを画像データに合成する方法について説明する説明図である。
【図５】実施の形態３のタブレットの概観構成図および概略構成を表すブロック図である。
【図６】二次元バーコードの例を表す図である。
【図７】実施の形態４のタブレットの概観構成図である。
【図８】実施の形態４のタブレットのバーコードリーダーを含む断面図である。
【図９】実施の形態４のタブレットの使用態様を表す説明図である。
【図１０】実施の形態５の印刷装置の概略構成図である。
【図１１】ホスト装置が印刷装置に印刷指示と共に画像データを送出する際の動作を説明するブロック図である。
【図１２】実施の形態７の印刷装置の概略構成図である。
【図１３】実施の形態８のタブレットと印刷装置とからなる座標入力システムの概略構成を表すブロック図である。
【図１４】実施の形態９のシステムの概略構成図である。
【図１５】実施の形態１０のシステムの概略構成を表すブロック図である。
【図１６】実施の形態１１のタブレットの概観構成図である。
【図１７】実施野形態１１のページ識別部のブロック図である。
【図１８】光源制御部による二つの光源の切り替えのタイミングチャートの一例である。
【符号の説明】
【００９７】
１００、１１０、１２０、１２５、１３０    タブレット
１０１、１３１        座標入力部
１０２、１３２        外部入出力部
１０３、１３３        記憶部
１０４、１３４        制御部
１０５                クリップ
１０６、１３５        スキャナ（ページ識別部）
１０８                ガイド
１１１、１３６、２２４    合成部
２００、２１０、２２０    印刷装置
２０１、２２１            印刷部
２０２、２２２            外部入出力部
２０３、２２３            制御部
２０４、２２５            対応データ生成部
３００                    コンピュータ
３０１                    文書編集ソフト
３０２                    ドライバソフト
３０３                    オートメーションクライアントソフト
３０４                    マクロ
４００、４０１、４０２    座標入力システム
１３０１、１３０２、１３０３    ミラー
１３０４、１３０５              レンズ
１３１１                        透明板
１３５１、１３５２              光源
１３５３                        受光部
【図１】
2006107124.tif 000003
【図２】
2006107124.tif 000004
【図３】
2006107124.tif 000005
【図４】
2006107124.tif 000006
【図５】
2006107124.tif 000007
【図６】
2006107124.tif 000008
【図７】
2006107124.tif 000009
【図８】
2006107124.tif 000010
【図９】
2006107124.tif 000011
【図１０】
2006107124.tif 000012
【図１１】
2006107124.tif 000013
【図１２】
2006107124.tif 000014
【図１３】
2006107124.tif 000015
【図１４】
2006107124.tif 000016
【図１５】
2006107124.tif 000017
【図１６】
2006107124.tif 000018
【図１７】
2006107124.tif 000019
【図１８】
2006107124.tif 000020